【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】
ネットワークを介してサーバと端末との間で情報通信を行う場合に、前記端末が前記サーバに対してアクセスを許容された端末であるか否かの認証を行う端末認証方法において、
前記端末は、個別ＩＤが予め記憶されている記憶媒体から前記個別ＩＤを読み取り、前記サーバに対して認証ＩＤの発行を要求する認証ＩＤ発行リクエストを送信する際に該認証ＩＤ発行リクエストに前記個別ＩＤを付して前記サーバに送信し、
前記サーバは、前記認証ＩＤ発行リクエストを受けると該認証ＩＤ発行リクエストに付されている個別ＩＤに基づき前記サーバ内を検索して前記個別ＩＤに対応した認証ＩＤを既に発行しているか否かを判断し、前記個別ＩＤに対応する認証ＩＤが未発行であると判断したときは、前記個別ＩＤに基づいて該個別ＩＤに対応した固有の認証ＩＤを発行し、前記サーバ内に格納すると共に、前記認証ＩＤ発行リクエストを送信してきたリクエスト元の端末に配信し、
前記認証ＩＤ発行リクエストのリクエスト元の端末は、前記サーバから認証ＩＤの配信を受けると、該認証ＩＤを前記端末のメモリに格納し、前記サーバに情報の配信を要求する情報配信リクエストを送信する際に、前記メモリに格納されている前記認証ＩＤを読み出して前記情報配信リクエストに付して前記サーバに送信し、
前記サーバは、前記情報配信リクエストを受けると該情報配信リクエストに前記認証ＩＤが付されているか否かを判断し、前記情報配信リクエストに前記認証ＩＤが付されておりかつ該認証ＩＤが前記サーバ内に格納されている認証ＩＤと一致するときは、前記情報配信リクエストのリクエスト元の端末が前記サーバにアクセスを許容された端末であると認証し、前記情報配信リクエストに前記認証ＩＤが付されていない、或いは前記認証ＩＤが付されているが該認証ＩＤが前記サーバ内に格納されている認証ＩＤと不一致のときは前記情報配信リクエストのリクエスト元の端末が前記サーバにアクセスを許容された端末でないと認証することを特徴とする端末認証方法。
【請求項２】
ネットワークを介してサーバと端末との間で情報通信を行う場合に、前記端末が前記サーバに対してアクセスを許容された端末であるか否かの認証を行う端末認証方法において、
前記端末は、個別ＩＤが予め記憶されている記憶媒体から前記個別ＩＤを読み取り、前記サーバに対して認証ＩＤの発行を要求する認証ＩＤ発行リクエストを送信する際に該認証ＩＤ発行リクエストに前記個別ＩＤを付して前記サーバに送信し、
前記サーバは、前記認証ＩＤ発行リクエストを受けると該認証ＩＤ発行リクエストに付されている個別ＩＤに基づき前記サーバ内を検索して前記個別ＩＤに対応した認証ＩＤを既に発行しているか否かを判断し、前記個別ＩＤに対応する認証ＩＤが未発行であると判断したときは、前記個別ＩＤに基づいて該個別ＩＤに対応した固有の認証ＩＤを発行し、前記サーバ内に前記固有ＩＤと共に格納し、前記認証ＩＤを前記認証ＩＤ発行リクエストを送信してきたリクエスト元の端末に配信し、
前記認証ＩＤ発行リクエストのリクエスト元の端末は、前記サーバから認証ＩＤの配信を受けると、該認証ＩＤを前記端末のメモリに格納し、前記サーバに情報の配信を要求する情報配信リクエストを送信する際に、前記メモリに格納されている前記認証ＩＤと前記記憶媒体に記憶されている前記個別ＩＤを読み出して前記情報配信リクエストに付して前記サーバに送信し、
前記サーバは、前記情報配信リクエストを受けると該情報配信リクエストに前記認証ＩＤと個別ＩＤが付されているか否かを判断し、前記情報配信リクエストに前記認証ＩＤと個別ＩＤが付されておりかつ該認証ＩＤが前記サーバ内に格納されている認証ＩＤと一致しかつ前記個別ＩＤが前記サーバ内に格納されている個別ＩＤと一致するときは、前記情報配信リクエストのリクエスト元の端末が前記サーバにアクセスを許容された端末であると認証し、前記情報配信リクエストに前記認証ＩＤと前記個別ＩＤの少なくとも一方が付されていない、或いは前記認証ＩＤ及び前記個別ＩＤが付されているが該認証ＩＤ及び前記個別ＩＤが前記サーバ内に格納されている認証ＩＤ及び個別ＩＤと不一致のときは前記情報配信リクエストのリクエスト元の端末が前記サーバにアクセスを許容された端末でないと認証することを特徴とする端末認証方法。
【請求項３】
前記サーバは、
所定条件に基づき、前記サーバに格納している認証ＩＤを抹消し、新たに固有の認証ＩＤを発行して前記サーバ内に格納すると共に、前記端末に配信して前記端末のメモリに格納させることを特徴とする請求項１又は２に記載の端末認証方法。
【請求項４】
前記サーバは、
前記端末から認証ＩＤ発行リクエストを受けると該認証ＩＤ発行リクエストに付されている個別ＩＤに基づき前記サーバ内を検索して前記個別ＩＤに対応した認証ＩＤを既に発行しているか否かを判断し、前記個別ＩＤに対応する認証ＩＤを既に発行していると判断したときは、前記認証ＩＤ発行リクエストを送信してきたリクエスト元の端末に対して認証ＩＤの再登録を行うか否かを問い合わせるレスポンスを返信し、前記端末から認証ＩＤの再登録を要求するリクエストを受けることにより、前記サーバに格納している認証ＩＤを抹消し、新たに固有の認証ＩＤを発行して前記サーバ内に格納すると共に、前記認証ＩＤの再登録のリクエスト元の端末に配信して該端末のメモリに格納させることを特徴とする請求項３に記載の端末認証方法。
【請求項５】
前記個別ＩＤを記憶した記憶媒体は、ＣＤ−ＲＯＭなどの光ディスクであることを特徴とする請求項１〜４のいずれか１項に記載の端末認証方法。
【手続補正２】
【補正対象書類名】明細書
【補正対象項目名】０００６
【補正方法】変更
【補正の内容】
【０００６】
【課題を解決するための手段】
上記課題を解決する請求項１に記載の発明は、ネットワークを介してサーバと端末との間で情報通信を行う場合に、端末がサーバに対してアクセスを許容された端末であるか否かの認証を行う端末認証方法において、端末は、個別ＩＤが予め記憶されている記憶媒体から個別ＩＤを読み取り、サーバに対して認証ＩＤの発行を要求する認証ＩＤ発行リクエストを送信する際に認証ＩＤ発行リクエストに個別ＩＤを付してサーバに送信し、サーバは、認証ＩＤ発行リクエストを受けると認証ＩＤ発行リクエストに付されている個別ＩＤに基づきサーバ内を検索して個別ＩＤに対応した認証ＩＤを既に発行しているか否かを判断し、個別ＩＤに対応する認証ＩＤが未発行であると判断したときは、個別ＩＤに基づいて個別ＩＤに対応した固有の認証ＩＤを発行し、サーバ内に格納すると共に、認証ＩＤ発行リクエストを送信してきたリクエスト元の端末に配信し、認証ＩＤ発行リクエストのリクエスト元の端末は、サーバから認証ＩＤの配信を受けると、認証ＩＤを端末のメモリに格納し、サーバに情報の配信を要求する情報配信リクエストを送信する際に、メモリに格納されている認証ＩＤを読み出して情報配信リクエストに付してサーバに送信し、サーバは、情報配信リクエストを受けると情報配信リクエストに認証ＩＤが付されているか否かを判断し、情報配信リクエストに認証ＩＤが付されておりかつ認証ＩＤがサーバ内に格納されている認証ＩＤと一致するときは、情報配信リクエストのリクエスト元の端末がサーバにアクセスを許容された端末であると認証し、情報配信リクエストに認証ＩＤが付されていない、或いは認証ＩＤが付されているが認証ＩＤがサーバ内に格納されている認証ＩＤと不一致のときは情報配信リクエストのリクエスト元の端末がサーバにアクセスを許容された端末でないと認証することを特徴とする。
【手続補正３】
【補正対象書類名】明細書
【補正対象項目名】０００７
【補正方法】変更
【補正の内容】
【０００７】
この発明によると、サーバは、端末から認証ＩＤ発行リクエストを受けた場合に、そのリクエストに付されている個別ＩＤに基づいて認証ＩＤを既に発行しているか否かを判断し、認証ＩＤが未発行であるときは、固有の認証ＩＤを発行し、リクエスト元の端末に配信する。これにより、サーバから認証ＩＤの配信を受け、その認証ＩＤを格納した端末のみがサーバへのアクセスを許容される。すなわち、認証ＩＤを発行する条件を、サーバへの最初のアクセスに限定し、一の記憶媒体に基づくサーバへのアクセスを、一の端末に限定している。
【手続補正４】
【補正対象書類名】明細書
【補正対象項目名】０００９
【補正方法】変更
【補正の内容】
【０００９】
請求項２に記載の発明は、ネットワークを介してサーバと端末との間で情報通信を行う場合に、端末がサーバに対してアクセスを許容された端末であるか否かの認証を行う端末認証方法において、端末は、個別ＩＤが予め記憶されている記憶媒体から個別ＩＤを読み取り、サーバに対して認証ＩＤの発行を要求する認証ＩＤ発行リクエストを送信する際に認証ＩＤ発行リクエストに個別ＩＤを付してサーバに送信し、サーバは、認証ＩＤ発行リクエストを受けると認証ＩＤ発行リクエストに付されている個別ＩＤに基づきサーバ内を検索して個別ＩＤに対応した認証ＩＤを既に発行しているか否かを判断し、個別ＩＤに対応する認証ＩＤが未発行であると判断したときは、個別ＩＤに基づいて個別ＩＤに対応した固有の認証ＩＤを発行し、サーバ内に固有ＩＤと共に格納し、認証ＩＤを認証ＩＤ発行リクエストを送信してきたリクエスト元の端末に配信し、認証ＩＤ発行リクエストのリクエスト元の端末は、サーバから認証ＩＤの配信を受けると、認証ＩＤを端末のメモリに格納し、サーバに情報の配信を要求する情報配信リクエストを送信する際に、メモリに格納されている認証ＩＤと記憶媒体に記憶されている個別ＩＤを読み出して情報配信リクエストに付してサーバに送信し、サーバは、情報配信リクエストを受けると情報配信リクエストに認証ＩＤと個別ＩＤが付されているか否かを判断し、情報配信リクエストに認証ＩＤと個別ＩＤが付されておりかつ認証ＩＤがサーバ内に格納されている認証ＩＤと一致しかつ個別ＩＤがサーバ内に格納されている個別ＩＤと一致するときは、情報配信リクエストのリクエスト元の端末がサーバにアクセスを許容された端末であると認証し、情報配信リクエストに認証ＩＤと個別ＩＤの少なくとも一方が付されていない、或いは認証ＩＤ及び個別ＩＤが付されているが認証ＩＤ及び個別ＩＤがサーバ内に格納されている認証ＩＤ及び個別ＩＤと不一致のときは情報配信リクエストのリクエスト元の端末がサーバにアクセスを許容された端末でないと認証することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
この発明によると、サーバは、端末から認証ＩＤ発行リクエストを受けた場合に、そのリクエストに付されている個別ＩＤに基づいて認証ＩＤを既に発行しているか否かを判断し、認証ＩＤが未発行であるときは、固有の認証ＩＤを発行し、リクエスト元の端末に配信する。これにより、サーバから認証ＩＤの配信を受け、その認証ＩＤを格納した端末であって、更に個別ＩＤを記憶した記憶媒体がセットされた端末のみがサーバへのアクセスを許容される。
【手続補正８】
【補正対象書類名】明細書
【補正対象項目名】００１４
【補正方法】変更
【補正の内容】
【００１４】
請求項３に記載の発明は、請求項１又は２に記載の端末認証方法において、サーバは、所定条件に基づき、サーバに格納している認証ＩＤを抹消し、新たに固有の認証ＩＤを発行してサーバ内に格納すると共に、端末に配信して端末のメモリに格納させることを特徴とする。
【手続補正９】
【補正対象書類名】明細書
【補正対象項目名】００１６
【補正方法】変更
【補正の内容】
【００１６】
請求項４に記載の発明は、請求項３に記載の端末認証方法において、サーバは、端末から認証ＩＤ発行リクエストを受けると認証ＩＤ発行リクエストに付されている個別ＩＤに基づきサーバ内を検索して個別ＩＤに対応した認証ＩＤを既に発行しているか否かを判断し、個別ＩＤに対応する認証ＩＤを既に発行していると判断したときは、認証ＩＤ発行リクエストを送信してきたリクエスト元の端末に対して認証ＩＤの再登録を行うか否かを問い合わせるレスポンスを返信し、端末から認証ＩＤの再登録を要求するリクエストを受けることにより、サーバに格納している認証ＩＤを抹消し、新たに固有の認証ＩＤを発行してサーバ内に格納すると共に、認証ＩＤの再登録のリクエスト元の端末に配信して該端末のメモリに格納させることを特徴とする
【手続補正１０】
【補正対象書類名】明細書
【補正対象項目名】００１８
【補正方法】変更
【補正の内容】
【００１８】
請求項５に記載の発明は、請求項１〜４のいずれか１項に記載の端末認証方法において、個別ＩＤを記憶した記憶媒体は、ＣＤ−ＲＯＭなどの光ディスクであることを特徴とする。